(57)【要約】【課題】加飾樹脂成形品の表面に高い平滑性を付与し得る加飾シートを提供する。【解決手段】少なくとも、顔料を含む絵柄層と、ベタ層とが積層された積層体からなる加飾シートであって、  前記積層体において、前記絵柄層は、部分的に積層されており、  前記絵柄層に含まれるバインダー樹脂が、アクリル系樹脂を８０質量％以上含み、  前記ベタ層に含まれるバインダー樹脂が、アクリル系樹脂を８０質量％以上含む、加飾シート。【選択図】なし【特許請求の範囲】
【請求項１】
少なくとも、顔料を含む絵柄層と、ベタ層と、基材層とがこの順に積層された積層体からなる加飾シートであって、
前記積層体において、前記絵柄層は、部分的に積層されており、
前記絵柄層に含まれるバインダー樹脂が、アクリル樹脂及びアクリルポリオール樹脂の少なくとも一方を８０質量％以上含み、
前記ベタ層に含まれるバインダー樹脂が、アクリル樹脂及びアクリルポリオール樹脂の少なくとも一方を８０質量％以上含む、加飾シート。
【請求項２】
前記顔料が、金属顔料、パール顔料、及び酸化チタン顔料からなる群から選択された少なくとも１種である、請求項１に記載の加飾シート。
【請求項３】
塩素系樹脂を３０質量％以上含むバインダー樹脂とを含む樹脂層がさらに積層されている、請求項１または２に記載の加飾シート。
【請求項４】
前記樹脂層が、有機顔料及び無機顔料の少なくとも一方の顔料を含む、請求項３に記載の加飾シート。
【請求項５】
前記絵柄層及び前記ベタ層が、基材層の上に積層されている、請求項１〜４のいずれかに記載の加飾シート。
【請求項６】
最表面に表面保護層をさらに備える、請求項１〜５のいずれかに記載の加飾シート。
【請求項７】
前記表面保護層の厚みが、３０μｍ以下である、請求項６に記載の加飾シート。
【請求項８】
転写用基材の上に、アクリル樹脂を８０質量％以上含むバインダー樹脂及び顔料を含む絵柄層を部分的に積層する工程と、アクリル樹脂を８０質量％以上含むバインダー樹脂を含むベタ層を積層する工程とを行い、転写シートを作製する、転写シート作製工程と、
前記転写シートに積層された前記絵柄層及びベタ層を基材上に転写する転写工程と、
を備える、加飾シートの製造方法。
【請求項９】
前記転写工程の後、さらに表面保護層を積層する工程を備える、請求項８に記載の加飾シートの製造方法。
【請求項１０】
少なくとも、成形樹脂層の上に、顔料を含む絵柄層と、ベタ層と、基材層とがこの順に積層された積層体からなる加飾樹脂成形品であって、
前記積層体において、前記絵柄層は、部分的に積層されており、
前記絵柄層に含まれるバインダー樹脂が、アクリル樹脂及びアクリルポリオール樹脂の少なくとも一方を８０質量％以上含み、
前記ベタ層に含まれるバインダー樹脂が、アクリル樹脂及びアクリルポリオール樹脂の少なくとも一方を８０質量％以上含む、加飾樹脂成形品。
【発明の詳細な説明】
【技術分野】
【０００１】
本発明は、加飾樹脂成形品の表面に高い平滑性を付与することができる加飾シートに関する。さらに、本発明は、当該加飾シートを利用した加飾樹脂成形品に関する。
【背景技術】
【０００２】
従来、車両内外装部品、建材内装材、家電筐体等には、樹脂成形品の表面に加飾シートを積層させた加飾樹脂成形品が使用されている。このような加飾樹脂成形品の製造においては、予め意匠が付与された加飾シートを、射出成形によって樹脂と一体化させる成形法などが用いられている。係る成形法の代表的な例としては、加飾シートを真空成形型により予め立体形状に成形しておき、当該加飾シートを射出成形型に挿入し、流動状態の樹脂を型内に射出することにより樹脂と加飾シートとを一体化するインサート成形法や、射出成形の際に金型内に挿入された加飾シートを、キャビティ内に射出注入された溶融樹脂と一体化させる射出成形同時加飾法が挙げられる。また、射出成形による成形法以外には、真空圧着法のように予め成形された成形体上に加熱や加圧を伴いながら貼着される加飾方法においても加飾シートが用いられている。
【０００３】
近年、消費者の多様な志向に伴って、明度の高い意匠や、光沢のある意匠を有する加飾樹脂成形品へのニーズが高まっている。例えば、特許文献１では、パール顔料と、バインダー樹脂として塩化ビニル−酢酸ビニル共重合体とを含むインキ組成物を用いて形成されたパールインキ層により、光沢のある意匠を表出する技術が提案されている。ところが、金属顔料、パール顔料などの顔料を含む層に光が当たると、バインダー樹脂が劣化し、加飾シートの耐候性が低下する場合がある。
【先行技術文献】
【特許文献】
【０００４】
【特許文献１】特開２００５−１４４６２号公報
【発明の概要】
【発明が解決しようとする課題】
【０００５】
本発明者は、上記のような顔料を用いた加飾シートにおいて、耐候性に優れたアクリル系樹脂をバインダー樹脂として用いて絵柄層を形成することを検討した。その結果、耐候性は高められるものの、加飾樹脂成形品に成形された後において、加飾樹脂成形品の表面の平滑性が低下することが明らかとなった。この原因について、本発明者が詳細に検討したところ、加飾樹脂成形品の表面において、絵柄層が位置している領域と、絵柄層が位置していない領域とによって凹凸形状が形成されていることが明らかとなった。特に、このような問題は、絵柄層を転写用基材の上に形成した転写用シートを用いて、基材の上に絵柄層を転写して製造される加飾シートにおいて、顕著であった。
このような状況下、本発明は、加飾樹脂成形品の表面に高い平滑性を付与することができる加飾シート、及び当該加飾シートを利用した加飾樹脂成形品を提供することを主な目的とする。
【課題を解決するための手段】
【０００６】
本発明者は、上記のような課題を解決すべく鋭意検討を行った。その結果、少なくとも、顔料を含む絵柄層と、ベタ層とが積層された積層体からなる加飾シートであって、当該積層体において、絵柄層が部分的に積層されており、絵柄層に含まれるバインダー樹脂が、アクリル系樹脂を８０質量％以上含み、ベタ層に含まれるバインダー樹脂が、アクリル系樹脂を８０質量％以上含むことにより、加飾樹脂成形品の表面に高い平滑性を付与することができることを見出した。本発明は、このような知見に基づいて、さらに検討を重ねることにより完成された発明である。
【０００７】
すなわち、本発明は、下記に掲げる態様の発明を提供する。
項１．  少なくとも、顔料を含む絵柄層と、ベタ層とが積層された積層体からなる加飾シートであって、
前記積層体において、前記絵柄層は、部分的に積層されており、
前記絵柄層に含まれるバインダー樹脂が、アクリル系樹脂を８０質量％以上含み、
前記ベタ層に含まれるバインダー樹脂が、アクリル系樹脂を８０質量％以上含む、加飾シート。
項２．  前記顔料が、金属顔料、パール顔料、及び酸化チタン顔料からなる群から選択された少なくとも１種である、項１に記載の加飾シート。
項３．  塩素系樹脂を３０質量％以上含むバインダー樹脂とを含む樹脂層がさらに積層されている、項１または２に記載の加飾シート。
項４．  前記樹脂層が、有機顔料及び無機顔料の少なくとも一方の顔料を含む、項３に記載の加飾シート。
項５．  前記絵柄層及び前記ベタ層が、基材層の上に積層されている、項１〜４のいずれかに記載の加飾シート。
項６．  最表面に表面保護層をさらに備える、項１〜５のいずれかに記載の加飾シート。項７．  前記表面保護層の厚みが、３０μｍ以下である、項６に記載の加飾シート。
項８．  転写用基材の上に、アクリル樹脂を８０質量％以上含むバインダー樹脂及び顔料を含む絵柄層を部分的に積層する工程と、アクリル樹脂を８０質量％以上含むバインダー樹脂を含むベタ層を積層する工程とを行い、転写シートを作製する、転写シート作製工程と、
前記転写シートに積層された前記絵柄層及びベタ層を基材上に転写する転写工程と、
を備える、加飾シートの製造方法。
項９．前記転写工程の後、さらに表面保護層を積層する工程を備える、項８に記載の加飾シートの製造方法。
項１０．  少なくとも、成形樹脂層の上に、顔料を含む絵柄層と、ベタ層とが積層された積層体からなる加飾樹脂成形品であって、
前記積層体において、前記絵柄層は、部分的に積層されており、
前記絵柄層に含まれるバインダー樹脂が、アクリル系樹脂を８０質量％以上含み、
前記ベタ層に含まれるバインダー樹脂が、アクリル系樹脂を８０質量％以上含む、加飾樹脂成形品。
【発明の効果】
【０００８】
本発明によれば、加飾樹脂成形品の表面に高い平滑性を付与し得る加飾シートを提供することができる。さらに、本発明によれば、表面が高い平滑性を有する加飾樹脂成形品を提供することができる。
【図面の簡単な説明】
【０００９】
【図１】本発明の加飾シートの一例の断面構造の模式図である。
【図２】本発明の加飾シートの一例の断面構造の模式図である。
【図３】本発明の加飾シートの一例の断面構造の模式図である。
【図４】本発明の加飾シートの製造工程を説明するための模式図である。
【図５】本発明の加飾樹脂成形品の一例の断面構造の模式図である。
【発明を実施するための形態】
【００１０】
１．加飾シート
本発明の加飾シートは、少なくとも、顔料を含む絵柄層と、ベタ層とが積層された積層体からなる加飾シートであって、当該積層体において、絵柄層が部分的に積層されており、絵柄層に含まれるバインダー樹脂が、アクリル系樹脂を８０質量％以上含み、ベタ層に含まれるバインダー樹脂が、アクリル系樹脂を８０質量％以上含むことを特徴とする。本発明の加飾シートは、このような構成を有することにより、加飾樹脂成形品の表面に高い平滑性を付与することができる。以下、本発明の加飾シートについて詳述する。
【００１１】
加飾シートの積層構造
本発明の加飾シートは、少なくとも、絵柄層２と、ベタ層３とが積層された積層体からなる。本発明の加飾シートは、加飾シートの保形性を高めることなどを目的として、必要に応じて、基材層１を有していてもよい。また、後述の通り、絵柄層２及びベタ層３とは異なるバインダー樹脂組成を有する樹脂層４を有していてもよい。また、本発明の加飾シートは、加飾シートの表面を保護することなどを目的として、必要に応じて、最外層として表面保護層５を設けてもよい。また、表面保護層５と、これに隣接する層との密着性を高めることなどを目的として、必要に応じて、表面保護層５の下にプライマー層６を設けてもよい。また、加飾シートと成形樹脂層９との密着性を高めることなどを目的として、必要に応じて、接着層８を有していてもよい。
【００１２】
図１または図２に示されるように、絵柄層２は、本発明の加飾シートを構成する積層体において、水平方向ｘ（積層方向ｙとは垂直な方向）に部分的に積層されている。また、ベタ層３は、本発明の加飾シートを構成する積層体において、水平方向ｘの全面に積層されている。
【００１３】
絵柄層２、ベタ層３、及び樹脂層４は、それぞれ、複数積層されてもよい。また、絵柄層２、ベタ層３、及び樹脂層４の積層順は、特に制限されないが、加飾樹脂成形品の表面の平滑性をより一層高める観点からは、ベタ層３が絵柄層２よりも最外層側（視認される側）に積層されていることが好ましい。
【００１４】
樹脂層４は、水平方向ｘの少なくとも一部分に積層されていればよい。すなわち、樹脂層４は、水平方向ｘに部分的に積層されていてもよいし、全面に積層されていてもよい。例えば、図３おいては、水平方向ｘに部分的に形成された絵柄層２が１層、全面に形成されたベタ層３が１層、部分的に形成された樹脂層４１、４２が２層積層されている。
【００１５】
なお、図１〜５は、加飾シート及び加飾樹脂成形品の積層構造を示すため模式図であり、描画の都合により、絵柄層２、樹脂層４が積層された層と同一平面に、これらの何れの層も形成されていない空間が存在するかのように描写されているが、実際の加飾シートにおいては、このような箇所は実質的に存在せず、順に積層される層によって埋められている。
【００１６】
本発明の加飾シートの積層構造として、絵柄層／ベタ層がこの順に積層された積層構造；基材層／絵柄層／ベタ層がこの順に積層された積層構造；基材層／ベタ層／絵柄層がこの順に積層された積層構造；基材層／絵柄層／ベタ層／表面保護層がこの順に積層された積層構造；基材層／ベタ層／絵柄層／表面保護層がこの順に積層された積層構造；基材層／ベタ層／絵柄層／樹脂層／表面保護層がこの順に積層された積層構造；基材層／ベタ層／絵柄層／樹脂層／プライマー層／表面保護層がこの順に積層された積層構造などが挙げられる。なお、当該積層構造の例示において、絵柄層、ベタ層、樹脂層と記載したものは、それぞれ、複数の絵柄層、複数のベタ層、複数の樹脂層であってもよい。図１に、本発明における加飾シートの積層構造の一態様として、基材層／ベタ層／絵柄層／表面保護層がこの順に積層された加飾シートの一例の略図的断面図を示す。図２に、本発明における加飾シートの積層構造の一態様として、基材層／絵柄層／ベタ層／表面保護層がこの順に積層された加飾シートの一例の略図的断面図を示す。図３に、本発明における加飾シートの積層構造の一態様として、基材層／ベタ層／絵柄層／樹脂層／樹脂層／プライマー層／表面保護層がこの順に積層された加飾シートの一例の略図的断面図を示す。
【００１７】
加飾シートを形成する各層の組成
【００１８】
［絵柄層２］
本発明の加飾シートにおいては、顔料を含む絵柄層２が、積層体の水平方向ｘにおいて部分的に積層されており、かつ、絵柄層２に含まれるバインダー樹脂が、アクリル系樹脂を８０質量％以上含む。本発明においては、このようなバインダー樹脂を用いた絵柄層２が部分的に積層されて絵柄が形成されているにも拘わらず、後述するベタ層３が積層されていることにより、加飾樹脂成形品の表面に高い平滑性を付与することが可能となっている。
【００１９】
具体的には、本発明者が検討を重ねたところ、図５に示されるように、加飾シートが積層された加飾樹脂成形品の表面においては、アクリル系樹脂を８０質量％以上含むバインダー樹脂を含む絵柄層２が位置する領域５ａ（加飾樹脂成形品の表面の領域であって、積層体の積層方向ｙにおいて絵柄層２が位置する領域に対応する領域）は、加飾樹脂成形品の製造過程の熱と圧力によっても平坦性が維持されることが明らかとなった。一方、加飾シートに本発明におけるベタ層３が形成されていない場合には、絵柄層２が位置していない領域５ｂは、加飾樹脂成形品の製造過程の熱と圧力によって、加飾シートにおける平坦性が維持されず凸状に突出することが明らかとなった。このため、本発明のベタ層３を有しない加飾樹脂成形品の表面においては、絵柄層２が位置する領域５ａと位置しない領域５ｂとによって、凹凸形状が形成されることになる。これに対して、後述の通り、本発明の加飾シートにおいては、アクリル系樹脂を８０質量％以上含むバインダー樹脂を含むベタ層３が積層されているため、このような凹凸形状が形成されることを効果的に抑制することができ、加飾樹脂成形品の表面に高い平滑性を付与することができる。
【００２０】
絵柄層２は、顔料及びバインダー樹脂に加えて、必要に応じて、染料、体質顔料、溶剤、安定剤、可塑剤、触媒、硬化剤等を適宜混合したインキ組成物を用いて形成することができる。絵柄層２の形成過程において、溶剤は揮発するため、絵柄層２は、顔料、バインダー樹脂などの固形分により形成される。絵柄層２は、実質的に顔料及びバインダー樹脂のみにより形成されていてもよい。
【００２１】
絵柄層２において、バインダー樹脂に含まれるアクリル系樹脂の割合としては、８０質量％以上であれば特に制限されないが、好ましくは８０〜１００質量％程度、より好ましくは９０〜１００質量％程度が挙げられる。絵柄層２を形成するバインダー樹脂におけるアクリル系樹脂の割合は、１００質量％としてもよい。すなわち、バインダー樹脂は、実質的にアクリル系樹脂のみにより構成されていてもよい。アクリル系樹脂は、１種類単独で使用してもよいし、２種類以上を組み合わせて使用してもよい。
【００２２】
アクリル系樹脂の具体例としては、好ましくはアクリル樹脂、アクリルポリオール樹脂などが挙げられる。アクリル樹脂としては、少なくとも（メタ）アクリル酸エステルモノマーを構成単位とするアクリル樹脂が好ましい。具体的には、（メタ）アクリル酸エステルモノマーの単独重合体、２種以上の異なる（メタ）アクリル酸エステルモノマーの共重合体、（メタ）アクリル酸エステルモノマーと他のモノマーとの共重合体などが挙げられる。アクリル樹脂は、１種類単独で使用してもよいし、２種類以上を組み合わせて使用してもよい。なお、本明細書において、「（メタ）アクリル」は、「アクリルまたはメタクリル」を意味し、他の類似するものも同様の意である。
【００２３】
（メタ）アクリル酸エステルモノマーとしては、例えば、（メタ）アクリル酸メチル、（メタ）アクリル酸エチル、（メタ）アクリル酸プロピル、（メタ）アクリル酸シクロヘキシル、（メタ）アクリル酸ノルマルブチル、（メタ）アクリル酸イソブチル、（メタ）アクリル酸セカンダリーブチル、（メタ）アクリル酸ターシャリーブチル、（メタ）アクリル酸イソボニル、２−メチル−２−アダマンチル（メタ）アクリレート、２−エチル−２−アダマンチル（メタ）アクリレートなどが好ましく挙げられ、これらのうち（メタ）アクリル酸メチルがより好ましい。２種以上の異なる（メタ）アクリル酸エステルモノマーの共重合体としては、上記例示されたものから選ばれる２種以上の（メタ）アクリル酸エステルの共重合体が例示され、これらの共重合体はランダム共重合体であってもブロック共重合体であってもよい。
【００２４】
（メタ）アクリル酸エステルモノマーと共重合体を形成する他のモノマーとしては、（メタ）アクリル酸エステルと共重合可能なものであれば特に限定されないが、本発明では、（メタ）アクリル酸、スチレン、（無水）マレイン酸、フマル酸、ジビニルベンゼン、ビニルビフェニル、ビニルナフタレン、ジフェニルエチレン、酢酸ビニル、塩化ビニル、フッ化ビニル、ビニルアルコール、アクリロニトリル、アクリルアミド、ブタジエン、イソプレン、イソブテン、１−ブテン、２−ブテン、Ｎ−ビニル−２−ピロリドン、ジシクロペンタジエン、エチリデンノルボルネン、ノルボルネン類などの脂環式オレフィンモノマー、ビニルカプロラクタム、シトラコン酸無水物、Ｎ−フェニルマレイミドなどのマレイミド類、ビニルエーテル類などが好ましく挙げられ、特にスチレン及び（無水）マレイン酸が共重合成分として好適である。すなわち、（メタ）アクリル酸エステルとスチレン又は（無水）マレイン酸の二元共重合体、（メタ）アクリル酸エステルとスチレン及び（無水）マレイン酸の三元共重合体が好適である。なお、（メタ）アクリル酸エステルと他のモノマーとの共重合体はランダム共重合体であってもブロック共重合体であってもよい。
【００２５】
また、アクリルポリオール樹脂としては、特に制限されないが、例えば、メチル（メタ）アクリレート、エチル（メタ）アクリレート、ブチル（メタ）アクリレート、２−エチルヘキシル（メタ）アクリレート、オクチル（メタ）アクリレートなどの（メタ）アクリル酸アルキルエステルと、２−ヒドロキシエチル（メタ）アクリレート、２−ヒドロキシブチル（メタ）アクリレート、２−ヒドロキシ−３−フェノキシプロピル（メタ）アクリレート等の分子中に水酸基を有する（メタ）アクリル酸エステルとを共重合させて得られるものが挙げられる。
【００２６】
当該アクリル系樹脂の重量平均分子量としては、特に制限されないが、好ましくは３００００〜２０００００程度、より好ましくは７００００〜１５００００程度が挙げられる。なお、本明細書におけるアクリル系樹脂の重量平均分子量は、ゲルパーミエーションクロマトグラフィー法により、ポリスチレンを標準物質として測定した値である。
【００２７】
絵柄層２において、バインダー樹脂に含まれ得るアクリル系樹脂以外の他のバインダー樹脂としては、特に制限されないが、好ましくは塩素系樹脂、ポリウレタン、ポリエステル、ポリアミド、ブチラール樹脂、ポリスチレン、ニトロセルロース樹脂、酢酸セルロース樹脂等が挙げられ、好ましくは塩素系樹脂が挙げられる。好ましい塩素系樹脂としては、後述の樹脂層４で例示したものが挙げられる。これらの他のバインダー樹脂は、１種単独で使用してもよく、また２種以上を組み合わせて使用してもよい。
【００２８】
絵柄層２は、加飾シートに装飾性を付与することなどを目的として、顔料を含む。顔料としては、特に制限されないが、好ましくは金属顔料、パール顔料、酸化チタン顔料などが挙げられる。本発明では、絵柄層２に含まれるバインダー樹脂がアクリル系樹脂を８０質量％以上含むことにより、上記のような顔料を用いた場合でも耐候性が良好となる。また、絵柄層２に含まれる顔料としては、後述するベタ層３で例示した有機顔料、無機顔料なども挙げられる。顔料は、１種類単独で使用してもよいし、２種類以上を組み合わせて使用してもよい。
【００２９】
金属顔料としては、特に制限されないが、例えば、アルミニウム粉、真鍮粉、ステンレス鋼粉、錫粉、亜鉛粉、ブロンズ粉、ニッケル粉、銅粉、金粉、銀粉等や、これらの混合粉、これらの金属の合金粉などからなる顔料が挙げられる。
【００３０】
パール顔料としては、例えば、表面部分に金属酸化物を含む粒子が挙げられる。このようなパール顔料としては、例えば、雲母等の鱗片状粒子の表面が金属酸化物で被覆された顔料が挙げられる。パール顔料に含まれる金属酸化物としては、加飾シートに光輝性の意匠を付与できるものであれば、特に制限されないが、例えば、チタン、鉄、ジルコニウム、ケイ素、アルミニウム、セリウムなどの金属の酸化物が挙げられる。金属酸化物としては、１種類単独で含んでいてもよいし、２種類以上を含んでいてよい。パール顔料の具体例としては、好ましくは二酸化チタン被覆雲母、酸化鉄被覆雲母、二酸化チタンと酸化鉄で被覆した雲母などが挙げられる。
【００３１】
顔料の平均粒子径としては、特に制限されないが、通常１〜５００μｍ程度、好ましくは５〜１００μｍ程度が挙げられる。なお、本発明において、顔料の平均粒子径は、レーザー回折散乱法によって測定した体積基準粒度分布のメジアン径を意味する。
【００３２】
本発明の加飾シートにおいて、絵柄層２、後述のベタ層３、及び後述の樹脂層４によって加飾シートに表現される模様については、特に制限されないが、例えば、木目模様、大理石模様（例えばトラバーチン大理石模様）等の岩石の表面を模した石目模様、布目や布状の模様を模した布地模様、タイル貼模様、煉瓦積模様等が挙げられ、これらを複合した寄木、パッチワーク等の模様であってもよい。これらの模様は、通常の黄色、赤色、青色、及び黒色のプロセスカラーによる多色印刷によって形成されるが、模様を構成する個々の色の版を用意して行う特色による多色印刷等によっても形成することができる。
【００３３】
絵柄層２の厚みとしては、特に制限されないが、好ましくは１．０〜５．０μｍ程度、より好ましくは１．５〜３．０μｍ程度、さらに好ましくは２．０〜３．０μｍ程度が挙げられる。なお、上述の通り、絵柄層２は複数積層されていてもよく、絵柄層２が複数積層される場合は、絵柄層２の合計厚みが、この範囲にあることが好ましい。
【００３４】
絵柄層２は、例えば、インキ組成物を用いて印刷することにより、後述の基材層１、ベタ層３、必要に応じて形成される樹脂層４などの上に部分的に形成される。なお、絵柄層２は、後述のように、ベタ層３、必要に応じて形成される樹脂層４と共に転写用基材７の上に積層した後、当該転写用基材７を用いて基材層１の上などに転写して加飾シートに積層することが好ましい。絵柄層２は、積層体の水平方向ｘに部分的に印刷することにより形成することができる。絵柄層２を形成するための印刷方法については、特に制限されないが、例えば、グラビア印刷、オフセット印刷、シルクスクリーン印刷、転写シートからの転写による印刷、インクジェット印刷等が挙げられる。
【００３５】
［ベタ層３］
本発明の加飾シートにおいては、上記の絵柄層２と共に、ベタ層３が積層されており、ベタ層３に含まれるバインダー樹脂は、アクリル系樹脂を８０質量％以上含む。上述の通り、本発明の加飾シートにおいては、バインダー樹脂にアクリル系樹脂を８０質量％以上含むベタ層３が積層体の前面に積層されているため、上記の絵柄層２が部分的に積層されているにも拘わらず、加飾樹脂成形品の表面に高い平滑性を付与することができる。
【００３６】
ベタ層３は、バインダー樹脂に加えて、必要に応じて、顔料、染料、体質顔料、溶剤、安定剤、可塑剤、触媒、硬化剤等を適宜混合したインキ組成物を用いて形成することができる。ベタ層３の形成過程において、溶剤は揮発するため、ベタ層３は、バインダー樹脂などの固形分により形成される。ベタ層３は、実質的にバインダー樹脂のみにより形成されていてもよい。
【００３７】
ベタ層３において、バインダー樹脂に含まれるアクリル系樹脂の割合としては、８０質量％以上であれば特に制限されないが、好ましくは８０〜１００質量％程度、より好ましくは９０〜１００質量％程度が挙げられる。ベタ層３を形成するバインダー樹脂におけるアクリル系樹脂の割合は、１００質量％としてもよい。すなわち、バインダー樹脂は、実質的にアクリル系樹脂のみにより構成されていてもよい。アクリル系樹脂は、１種類単独で使用してもよいし、２種類以上を組み合わせて使用してもよい。
【００３８】
アクリル系樹脂の具体例としては、特に制限されず、上記の絵柄層２で例示したものが挙げられる。
【００３９】
また、ベタ層３において、バインダー樹脂に含まれ得るアクリル系樹脂以外の他のバインダー樹脂としては、特に制限されず、上記の絵柄層２と同様とすることができる。
【００４０】
ベタ層３は、加飾シートに装飾性や隠蔽性を付与することなどを目的として、必要に応じて、顔料を含んでいてもよい。顔料としては、特に制限されないが、好ましくは無機顔料及び有機顔料が挙げられる。顔料は１種類単独で使用してもよいし、２種類以上を組み合わせて使用してもよい。無機顔料としては、特に制限されないが、例えば、カーボンブラック（墨）、鉄黒、チタン白、アンチモン白、黄鉛、チタン黄、弁柄、カドミウム赤、群青、コバルトブルー等が挙げられる。また有機顔料としては、キナクリドンレッド、イソインドリノンイエロー、フタロシアニンブルー等が挙げられる。
【００４１】
有機顔料及び無機顔料の平均粒子径としては、特に制限されないが、それぞれ、通常１〜５００μｍ程度、好ましくは５〜１００μｍ程度が挙げられる。なお、本発明において、有紀顔料及び無機顔料の平均粒子径は、それぞれ、レーザー回折散乱法によって測定した体積基準粒度分布のメジアン径を意味する。なお、ベタ層３には、絵柄層２例示した金属顔料、パール顔料、酸化チタン顔料などを含んでいてもよい。
【００４２】
ベタ層３の厚みとしては、特に制限されないが、好ましくは０．５μｍ以上、より好ましくは１．０〜５．０μｍ程度、さらに好ましくは１．０〜３．０μｍ程度が挙げられる。絵柄層２がこのような厚みを有することにより、加飾樹脂成形品の表面に高い平滑性をより効果的に付与することが可能となる。なお、上述の通り、ベタ層３は複数積層されていてもよく、ベタ層３が複数積層される場合は、ベタ層３の合計厚みが、この範囲にあることが好ましい。
【００４３】
ベタ層３は、例えば、インキ組成物を用いて印刷することにより、後述の基材層１、絵柄層２、必要に応じて形成される樹脂層４などの上に部分的に形成される。なお、ベタ層３は、後述のように、絵柄層２、必要に応じて形成される樹脂層４と共に転写用基材７の上に積層した後、当該転写用基材７を用いて基材層１の上などに転写して加飾シートに積層することが好ましい。ベタ層３は、積層体の水平方向ｘの全面に印刷することにより形成することができる。ベタ層３を形成するための印刷方法については、特に制限されないが、例えば、グラビア印刷、オフセット印刷、シルクスクリーン印刷、転写シートからの転写による印刷、インクジェット印刷等が挙げられる。
【００４４】
［樹脂層４］
本発明の加飾シートにおいては、上記の絵柄層２及びベタ層３と共に、必要に応じて、樹脂層４が積層されていてもよい。樹脂層４は、絵柄層２及びベタ層３とは異なるバインダー樹脂組成を有するインキ組成物により形成される層である。すなわち、樹脂層４に含まれるバインダー樹脂は、アクリル系樹脂の含有量が８０質量％未満である。第３樹脂層は、バインダー樹脂を構成する樹脂の組成が異なること以外は、上記の絵柄層２またはベタ層３と同様とすることができる。また、樹脂層４は部分的に設けられていてもよく、全面に設けられてベタ層を形成してもよい。
【００４５】
樹脂層４に含まれるバインダー樹脂としては、アクリル系樹脂の含有量が８０質量％未満であれば特に制限されない。樹脂層４に含まれるバインダー樹脂としては、好ましくは塩素系樹脂の含有量が３０質量％以上、より好ましくは４０〜１００質量％程度、さらに好ましくは５０〜１００質量％程度が挙げられる。樹脂層４に含まれるバインダー樹脂における塩素系樹脂の含有量を上記の範囲とすることで、樹脂層４を印刷により形成する際の印刷適正を良好とすることができる。このため、後述のように樹脂層４が着色剤を含有して装飾層を形成する場合において、本発明の加飾シートの意匠性を良好にすることができるため、特に好適である。樹脂層４を形成するバインダー樹脂における塩素系樹脂の割合は、１００質量％としてもよい。すなわち、バインダー樹脂は、実質的に塩素系樹脂のみにより構成されていてもよい。塩素系樹脂は、１種類単独で使用してもよいし、２種類以上を組み合わせて使用してもよい。
【００４６】
塩素系樹脂の具体例としては、ポリ塩化ビニル、塩素化ポリエチレン、ポリ塩化ビニリデン、エチレン−塩化ビニル共重合体、塩化ビニル−酢酸ビニル共重合体、塩化ビニル−酢酸ビニル−（メタ）アクリル共重合体などのポリ塩化ビニル系樹脂、ポリ塩化プロピレン、塩素化ポリプロピレンなどが挙げられるが、特に好ましくはポリ塩化ビニル、エチレン−塩化ビニル共重合体、塩化ビニル−酢酸ビニル共重合体等の塩化ビニル系樹脂が挙げられる。
【００４７】
当該塩素系樹脂の重量平均分子量としては、特に制限されないが、好ましくは５００００〜２０００００程度、より好ましくは５００００〜１０００００程度が挙げられる。なお、本明細書における塩素系樹脂の重量平均分子量は、ゲルパーミエーションクロマトグラフィー法により、ポリスチレンを標準物質として測定した値である。
【００４８】
樹脂層４において、バインダー樹脂に含まれ得る塩素系樹脂以外の他のバインダー樹脂としては、特に制限されないが、好ましくはアクリル系樹脂、ポリウレタン、ポリエステル、ポリアミド、ブチラール樹脂、ポリスチレン、ニトロセルロース樹脂、酢酸セルロース樹脂等が挙げられ、好ましくはアクリル系樹脂が挙げられる。好ましいアクリル系樹脂としては、上記の絵柄層２で例示したものが挙げられる。これらの他のバインダー樹脂は、１種単独で使用してもよく、また２種以上を組み合わせて使用してもよい。
【００４９】
樹脂層４は、加飾シートに装飾性を付与することなどを目的として、必要に応じて、着色剤を含んでいてもよい。すなわち、樹脂層４が装飾層を形成していてもよい。着色剤としては、特に制限されず、絵柄層２またはベタ層３で例示した顔料が挙げられる。また、絵柄層２、ベタ層３、及び樹脂層４の少なくとも１層によって、加飾シートに表現される模様については、上述の通りである。
【００５０】
樹脂層４の厚みとしては、特に制限されないが、好ましくは１〜７μｍ程度、より好ましくは２〜５μｍ程度、さらに好ましくは３〜４μｍ程度が挙げられる。なお、上述の通り、樹脂層４は複数積層されていてもよく、樹脂層４が複数積層される場合は、樹脂層４の合計厚みが、この範囲にあることが好ましい。
【００５１】
樹脂層４は、例えば、インキ組成物を用いて印刷することにより、後述の基材層１、絵
柄層２、ベタ層３などの上に形成される。なお、樹脂層４は、後述のように、絵柄層２、ベタ層３と共に転写用基材７の上に積層した後、当該転写用基材７を用いて基材層１の上などに転写して加飾シートに積層することが好ましい。樹脂層４は、積層体の水平方向ｘの少なくとも一部分に印刷すればよい。すなわち、樹脂層４は、水平方向ｘに部分的に印刷してもよいし、全面に印刷してもよい。樹脂層４を複数層印刷する場合には、部分的に印刷した層と、全面に印刷した層とを組み合わせてもよい。樹脂層４を形成するための印刷方法については、特に制限されないが、例えば、グラビア印刷、オフセット印刷、シルクスクリーン印刷、転写シートからの転写による印刷、インクジェット印刷等が挙げられる。
【００５２】
［基材層１］
基材層１は、本発明の加飾シートにおいて支持体としての役割を果たすことを目的として、必要に応じて設けられる層である。基材層１は、樹脂シート（樹脂フィルム）により形成されている。基材層１に使用される樹脂成分については、特に制限されず、三次元成形性や成形樹脂層との相性等に応じて適宜選定すればよいが、好ましくは、熱可塑性樹脂が挙げられる。熱可塑性樹脂としては、具体的には、アクリロニトリル−ブタジエン−スチレン樹脂（以下「ＡＢＳ樹脂」と表記することもある）；アクリロニトリル−スチレン−アクリル酸エステル樹脂；アクリル樹脂；ポリプロピレン、ポリエチレン等のポリオレフィン系樹脂；ポリカーボネート樹脂；塩化ビニル系樹脂；ポリエチレンテレフタラート（ＰＥＴ）樹脂等が挙げられる。これらの中でも、ＡＢＳ樹脂が三次元成形性の観点から好ましい。基材層１を形成する樹脂成分としては、１種類のみを用いてもよいし、２種類以上を混合して用いてもよい。また、基材層１は、これら樹脂の単層シートで形成されていてもよく、また同種又は異種樹脂による複層シートで形成されていてもよい。
【００５３】
基材層１は、隣接する層との密着性を向上させるために、必要に応じて、片面又は両面に酸化法や凹凸化法等の物理的又は化学的表面処理が施されていてもよい。基材層１の表面処理として行われる酸化法としては、例えば、コロナ放電処理、プラズマ処理、クロム酸化処理、火炎処理、熱風処理、オゾン紫外線処理法等が挙げられる。また、基材層１の表面処理として行われる凹凸化法としては、例えばサンドブラスト法、溶剤処理法等が挙げられる。これらの表面処理は、基材層１を構成する樹脂成分の種類に応じて適宜選択されるが、効果及び操作性等の観点から、好ましくはコロナ放電処理法が挙げられる。
【００５４】
また、基材層１には、着色剤などを配合した着色、色彩を整えるための塗装、デザイン性を付与するための模様の形成などがなされていてもよい。
【００５５】
基材層１の厚みは、特に制限されず、加飾シートの用途等に応じて適宜設定されるが、通常５０〜８００μｍ程度、好ましくは１００〜６００μｍ程度、さらに好ましくは２００〜５００μｍ程度が挙げられる。基材層１の厚みが上記範囲内であると、加飾シートに対してより一層優れた三次元成形性、意匠性などを備えさせることができる。
【００５６】
［表面保護層５］
表面保護層５は、加飾シートの耐薬品性、耐傷付き性などを高めるために、加飾樹脂成形品の最表面に位置するようにして、必要に応じて設けられる層である。本発明において、表面保護層５を形成する樹脂としては、特に制限されず、熱硬化性樹脂、熱可塑性樹脂、電離放射線硬化性樹脂などが挙げられる。これらの中でも、加飾樹脂成形品の表面の平滑性をより効果的に高め、さらに、耐傷付き性を高め、優れた表面特性を付与する観点からは、電離放射線硬化性樹脂が好ましいが、表面保護層５を形成する樹脂は、加飾シートの用途に応じて適宜選択することができる。また、表面保護層５は、樹脂フィルムにより形成してもよい。樹脂フィルムとしては、後述の熱可塑性樹脂または熱硬化性樹脂により形成された樹脂フィルムフィルムが挙げられる。表面保護層５は、例えば電離放射線硬化性樹脂または樹脂フィルムの１層により形成されていてもよいし、これらの２層以上により形成されていてもよい。
【００５７】
熱硬化性樹脂としては、特に制限されず、例えば、エポキシ樹脂、フェノール樹脂、ユリア樹脂、不飽和ポリエステル樹脂、メラミン樹脂、アルキド樹脂、ポリイミド樹脂、シリコーン樹脂、水酸基官能性アクリル樹脂、カルボキシル官能性アクリル樹脂、アミド官能性共重合体、ウレタン樹脂などが挙げられる。また、熱可塑性樹脂としては、特に制限されず、ポリメチル（メタ）アクリレート、ポリエチル（メタ）アクリレートなどのアクリル樹脂；ポリプロピレン、ポリエチレン等のポリオレフィン系樹脂；ポリカーボネート樹脂；塩化ビニル系樹脂；ポリエチレンテレフタレート（ＰＥＴ）、ポリブチレンテレフタレート（ＰＢＴ）、ポリエチレンナフタレート（ＰＥＮ）などのポリエステル樹脂；アクリロニトリル−ブタジエン−スチレン樹脂（ＡＢＳ樹脂）；アクリロニトリル−スチレン−アクリル酸エステル樹脂；などが挙げられる。
【００５８】
（電離放射線硬化性樹脂）
表面保護層５の形成に使用される電離放射線硬化性樹脂とは、電離放射線を照射することにより、架橋、硬化する樹脂であり、具体的には、分子中に重合性不飽和結合又はエポキシ基を有する、プレポリマー、オリゴマー、及びモノマーなどのうち少なくとも１種を適宜混合したものが挙げられる。ここで電離放射線とは、電磁波又は荷電粒子線のうち、分子を重合あるいは架橋しうるエネルギー量子を有するものを意味し、通常紫外線（ＵＶ）又は電子線（ＥＢ）が用いられるが、その他、Ｘ線、γ線等の電磁波、α線、イオン線等の荷電粒子線も含むものである。電離放射線硬化性樹脂の中でも、電子線硬化性樹脂は、無溶剤化が可能であり、光重合用開始剤を必要とせず、安定な硬化特性が得られるため、表面保護層５の形成において好適に使用される。
【００５９】
電離放射線硬化性樹脂として使用される上記モノマーとしては、分子中にラジカル重合性不飽和基を持つ（メタ）アクリレートモノマーが好適であり、中でも多官能性（メタ）アクリレートモノマーが好ましい。多官能性（メタ）アクリレートモノマーとしては、分子内に重合性不飽和結合を２個以上（２官能以上）、好ましくは３個以上（３官能以上）有する（メタ）アクリレートモノマーであればよい。多官能性（メタ）アクリレートとして、具体的には、エチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、エチレンオキシド変性トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレート等が挙げられる。これらのモノマーは、1種単独で使用してもよく、また２種以上を組み合わせて使用してもよい。
【００６０】
また、電離放射線硬化性樹脂として使用される上記オリゴマーとしては、分子中にラジカル重合性不飽和基を持つ（メタ）アクリレートオリゴマーが好適であり、中でも分子内に重合性不飽和結合を２個以上（２官能以上）有する多官能性（メタ）アクリレートオリゴマーが好ましい。多官能性（メタ）アクリレートオリゴマーとしては、例えば、ポリカーボネート（メタ）アクリレート、アクリルシリコーン（メタ）アクリレート、ウレタン（メタ）アクリレート、エポキシ（メタ）アクリレート、ポリエステル（メタ）アクリレート、ポリエーテル（メタ）アクリレート、ポリブタジエン（メタ）アクリレート、シリコーン（メタ）アクリレート、分子中にカチオン重合性官能基を有するオリゴマー（例えば、ノボラック型エポキシ樹脂、ビスフェノール型エポキシ樹脂、脂肪族ビニルエーテル、芳香族ビニルエーテル等）等が挙げられる。ここで、ポリカーボネート（メタ）アクリレートは、ポリマー主鎖にカーボネート結合を有し、かつ末端または側鎖に（メタ）アクリレート基を有するものであれば特に制限されず、例えば、ポリカーボネートポリオールを（メタ）アクリル酸でエステル化することにより得ることができる。ポリカーボネート（メタ）アクリレートは、例えば、ポリカーボネート骨格を有するウレタン（メタ）アクリレートなどであってもよい。ポリカーボネート骨格を有するウレタン（メタ）アクリレートは、例えば、ポリカーボネートポリオールと、多価イソシアネート化合物と、ヒドロキシ（メタ）アクリレートとを反応させることにより得られる。アクリルシリコーン（メタ）アクリレートは、シリコーンマクロモノマーを（メタ）アクリレートモノマーとラジカル共重合させることにより得ることができる。ウレタン（メタ）アクリレートは、例えば、ポリエーテルポリオールやポリエステルポリオールとポリイソシアネート化合物の反応によって得られるポリウレタンオリゴマーを、（メタ）アクリル酸でエステル化することにより得ることができる。エポキシ（メタ）アクリレートは、例えば、比較的低分子量のビスフェノール型エポキシ樹脂やノボラック型エポキシ樹脂のオキシラン環に、（メタ）アクリル酸を反応しエステル化することにより得ることができる。また、このエポキシ（メタ）アクリレートを部分的に二塩基性カルボン酸無水物で変性したカルボキシル変性型のエポキシ（メタ）アクリレートも用いることができる。ポリエステル（メタ）アクリレートは、例えば多価カルボン酸と多価アルコールの縮合によって得られる両末端に水酸基を有するポリエステルオリゴマーの水酸基を（メタ）アクリル酸でエステル化することにより、或いは多価カルボン酸にアルキレンオキシドを付加して得られるオリゴマーの末端の水酸基を（メタ）アクリル酸でエステル化することにより得ることができる。ポリエーテル（メタ）アクリレートは、ポリエーテルポリオールの水酸基を（メタ）アクリル酸でエステル化することにより得ることができる。ポリブタジエン（メタ）アクリレートは、ポリブタジエンオリゴマーの側鎖に（メタ）アクリル酸を付加することにより得ることができる。シリコーン（メタ）アクリレートは、主鎖にポリシロキサン結合をもつシリコーンの末端又は側鎖に（メタ）（メタ）アクリル酸を付加することにより得ることができる。これらの中でも、多官能性（メタ）アクリレートオリゴマーとしては、ポリカーボネート（メタ）アクリレート、ウレタン（メタ）アクリレートなどが特に好ましい。これらのオリゴマーは、１種単独で使用してもよく、また２種以上を組み合わせて使用してもよい。
【００６１】
上記した電離放射線硬化性樹脂の中でも、優れた三次元成形性を得る観点からは、ポリカーボネート（メタ）アクリレートを用いることが好ましい。また、三次元成形性と耐傷付き性を両立する観点からは、ポリカーボネート（メタ）アクリレートとウレタン（メタ）アクリレートを組み合わせて使用することがより好ましい。
【００６２】
（他の添加成分）
表面保護層５を形成する電離放射線硬化性樹脂組成物には、表面保護層５に備えさせる所望の物性に応じて、上記の無機粒子及び有機粒子の他、各種添加剤を配合することができる。この添加剤としては、例えば紫外線吸収剤や光安定剤等の耐候性改善剤、耐摩耗性向上剤、重合禁止剤、架橋剤、赤外線吸収剤、帯電防止剤、接着性向上剤、レベリング剤、チクソ性付与剤、カップリング剤、可塑剤、消泡剤、充填剤、溶剤、着色剤、マット剤等が挙げられる。これらの添加剤は、常用されるものから適宜選択して用いることができ、例えばマット剤としてはシリカ粒子や水酸化アルミニウム粒子等が挙げられる。また、紫外線吸収剤や光安定剤として、分子内に（メタ）アクリロイル基等の重合性基を有する反応性の紫外線吸収剤や光安定剤を用いることもできる。
【００６３】
（表面保護層５の厚み）
表面保護層５の厚みについては、特に制限されないが、好ましくは３０μｍ以下、より好ましくは５〜２０μｍ程度、より好ましくは７〜１５μｍ程度が挙げられる。本発明者らの知見によれば、絵柄層２のバインダー樹脂としてアクリル系樹脂を用いることにより加飾樹脂成形品の平滑性が損なわれるという課題は、表面保護層５の厚みが例えば３０μｍ以下のように薄い場合に生じやすいが、本発明の加飾シートはベタ層３を備えることにより、表面保護層５の厚みを上記のような範囲とした場合であっても、加飾樹脂成形品の表面を平滑にすることができる。さらに、このような範囲の厚みを満たすと、耐傷付き性、耐候性等の表面保護層としての十分な物性が得られると共に、表面保護層５を電離放射線硬化性樹脂を用いて形成する場合には電離放射線を均一に照射することが可能であるため、均一に硬化することが可能となり、経済的にも有利になる。また、表面保護層５の硬化後の厚みが前記範囲を充足することによって、加飾シートの三次元成形性が一層向上するため自動車内装用途等の複雑な三次元形状に対して高い追従性を得ることができる。このように、本発明の加飾シートは表面保護層５の厚みを従来のものより厚くしても、十分に高い三次元成形性が得られることから、特に表面保護層５に高い膜厚を要求される部材、例えば車両外装部品等の加飾シートとしても有用である。なお、表面保護層５を電離放射線硬化性樹脂などの硬化性樹脂を用いて形成する場合、上記の厚みは硬化後の厚みを示す。
【００６４】
（電離放射線硬化性樹脂を用いる場合の表面保護層５の形成）
表面保護層５の形成は、例えば、電離放射線硬化性樹脂を含む電離放射線硬化性樹脂組成物を調製し、これを塗布し、架橋硬化することにより行われる。なお、電離放射線硬化性樹脂組成物の粘度は、後述の塗布方式により、表面保護層５の下に位置する絵柄層２、ベタ層３、樹脂層４、プライマー層６などの層の表面に未硬化樹脂層を形成し得る粘度であればよい。
【００６５】
本発明においては、調製された塗布液を、前記厚みとなるように、表面保護層５の下に位置する層の上に、グラビアコート、バーコート、ロールコート、リバースロールコート、コンマコート等の公知の方式、好ましくはグラビアコートにより塗布し、未硬化樹脂層を形成させる。
【００６６】
このようにして形成された未硬化樹脂層に、電子線、紫外線等の電離放射線を照射して該未硬化樹脂層を硬化させて表面保護層５を形成する。ここで、電離放射線として電子線を用いる場合、その加速電圧については、用いる樹脂や層の厚みに応じて適宜選定し得るが、通常加速電圧７０〜３００ｋＶ程度が挙げられる。
【００６７】
なお、電子線の照射において、加速電圧が高いほど透過能力が増加するため、表面保護層５の下に電子線照射によって劣化しやすい樹脂を使用する場合には、電子線の透過深さと表面保護層５の厚みが実質的に等しくなるように、加速電圧を選定する。これにより、表面保護層５の下に位置する層への余分の電子線の照射を抑制することができ、過剰電子線による各層の劣化を最小限にとどめることができる。
【００６８】
また、照射線量は、表面保護層５の架橋密度が飽和する量が好ましく、通常５〜３００ｋＧｙ（０．５〜３０Ｍｒａｄ）、好ましくは１０〜５０ｋＧｙ（１〜５Ｍｒａｄ）の範囲で選定される。
【００６９】
更に、電子線源としては、特に制限はなく、例えばコックロフトワルトン型、バンデグラフト型、共振変圧器型、絶縁コア変圧器型、直線型、ダイナミトロン型、高周波型等の各種電子線加速器を用いることができる。
【００７０】
電離放射線として紫外線を用いる場合には、波長１９０〜３８０ｎｍの紫外線を含む光線を放射すればよい。紫外線源としては、特に制限されないが、例えば、高圧水銀燈、低圧水銀燈、メタルハライドランプ、カーボンアーク燈、紫外線発光ダイオード（ＬＥＤ−ＵＶ）等が挙げられる。
【００７１】
かくして形成された表面保護層５には、各種の添加剤を添加することにより、ハードコート機能、防曇コート機能、防汚コート機能、防眩コート機能、反射防止コート機能、紫外線遮蔽コート機能、赤外線遮蔽コート機能等の機能を付与する処理を行ってもよい。
【００７２】
なお、表面保護層５を樹脂フィルムにより形成する場合には、表面保護層５の下に位置する層の上に樹脂フィルムを積層すればよい。なお、樹脂フィルムとしては、上記した他の添加剤を含む樹脂フィルムや、サンドブラスト加工等の表面加工を施された樹脂フィルムを用いることもできる。
【００７３】
［プライマー層６］
プライマー層６は、表面保護層５とその下に位置する絵柄層２、ベタ層３、樹脂層４などの層との密着性を高めることなどを目的として、必要に応じて含まれる層である。プライマー層６は、樹脂により形成することができる。
【００７４】
プライマー層６を形成する樹脂としては、特に制限されないが、例えば、ウレタン樹脂、アクリル樹脂、（メタ）アクリル−ウレタン共重合体樹脂、ポリエステル樹脂、ブチラール樹脂等が挙げられる。これらの樹脂の中でも、好ましくは、ウレタン樹脂、アクリル樹脂、及び（メタ）アクリル−ウレタン共重合体樹脂が挙げられる。これらの樹脂は、１種単独で使用してもよく、また２種以上を組み合わせて使用してもよい。
【００７５】
上記ウレタン樹脂としては、ポリオール（多価アルコール）を主剤とし、イソシアネートを架橋剤（硬化剤）とするポリウレタンを使用できる。ポリオールとしては、分子中に２個以上の水酸基を有する化合物であればよく、具体的には、ポリエステルポリオール、ポリエチレングリコール、ポリプロピレングリコール、アクリルポリオール、ポリエーテルポリオール等が挙げられる。上記イソシアネートとしては、具体的には、分子中に２個以上のイソシアネート基を有する多価イソシアネート；４，４−ジフェニルメタンジイソシアネート等の芳香族イソシアネート；ヘキサメチレンジイソシアネート、イソホロンジイソシアネート、水素添加トリレンジイソシアネート、水素添加ジフェニルメタンジイソシアネート等の脂肪族（又は脂環族）イソシアネートが挙げられる。
【００７６】
上記ウレタン樹脂の中でも、架橋後の密着性の向上等の観点から、好ましくは、ポリオールとしてアクリルポリオール、又はポリエステルポリオールと、架橋材としてヘキサメチレンジイソシアネート、４，４−ジフェニルメタンジイソシアネートとから組み合わせ；さらに好ましくは、アクリルポリオールとヘキサメチレンジイソシアネートとを組み合わせが挙げられる。
【００７７】
上記アクリル樹脂としては、特に制限されないが、例えば、（メタ）アクリル酸エステルの単独重合体、２種以上の異なる（メタ）アクリル酸エステルモノマーの共重合体、又は（メタ）アクリル酸エステルと他のモノマーとの共重合体が挙げられる。（メタ）アクリル樹脂として、より具体的には、ポリ（メタ）アクリル酸メチル、ポリ（メタ）アクリル酸エチル、ポリ（メタ）アクリル酸プロピル、ポリ（メタ）アクリル酸ブチル、（メタ
）アクリル酸メチル−（メタ）アクリル酸ブチル共重合体、（メタ）アクリル酸エチル−（メタ）アクリル酸ブチル共重合体、エチレン−（メタ）アクリル酸メチル共重合体、スチレン−（メタ）アクリル酸メチル共重合体等の（メタ）アクリル酸エステル等が挙げられる。これらのアクリル樹脂は、１種単独で使用してもよく、また２種以上を組み合わせて使用してもよい。
【００７８】
（メタ）アクリル−ウレタン共重合体樹脂としては、特に制限されないが、例えば、アクリル−ウレタン（ポリエステルウレタン）ブロック共重合系樹脂が挙げられる。また、硬化剤としては、前述する各種イソシアネートが用いられる。アクリル−ウレタン（ポリエステルウレタン）ブロック共重合系樹脂におけるアクリルとウレタン比の比率については、特に制限されないが、例えば、アクリル／ウレタン比（質量比）として、９／１〜１／９、好ましくは８／２〜２／８が挙げられる。
【００７９】
プライマー層６の厚みについては、特に制限されないが、例えば０．１〜１０μｍ程度、好ましくは１〜１０μｍ程度が挙げられる。プライマー層６がこのような厚みを充足することにより、加飾シートの耐候性をより高めると共に、表面保護層５の割れ、破断、白化等を有効に抑制することができる。
【００８０】
プライマー層６は、プライマー層６を形成する樹脂を用いて、グラビアコート、グラビアリバースコート、グラビアオフセットコート、スピンナーコート、ロールコート、リバースロールコート、キスコート、ホイラーコート、ディップコート、シルクスクリーンによるベタコート、ワイヤーバーコート、フローコート、コンマコート、かけ流しコート、刷毛塗り、スプレーコート等の通常の塗布方法や転写コーティング法により形成される。ここで、転写コーティング法とは、薄いシート（フィルム基材）にプライマー層や接着層の塗膜を形成し、その後に加飾シート中の対象となる層表面に被覆する方法である。
【００８１】
［接着層８］
接着層８は、加飾シートと成形樹脂層９との密着性や接着性を向上させることなどを目的として、基材層１の裏面に必要に応じて設けられる層である。接着層８を形成する樹脂としては、加飾シートと成形樹脂層９との密着性や接着性を向上させることができるものであれば、特に制限されず、例えば、熱可塑性樹脂または熱硬化性樹脂が用いられる。熱可塑性樹脂としては、例えば、アクリル樹脂、アクリル変性ポリオレフィン樹脂、塩素化ポリオレフィン樹脂、塩化ビニル−酢酸ビニル共重合体、熱可塑性ウレタン樹脂、熱可塑性ポリエステル樹脂、ポリアミド樹脂、ゴム系樹脂などが挙げられる。熱可塑性樹脂は、１種類単独で使用してもよいし、２種類以上を組み合わせて使用してもよい。また、熱硬化性樹脂としては、例えば、ウレタン樹脂、エポキシ樹脂等挙げられる。熱硬化性樹脂は、１種類単独で使用してもよいし、２種類以上を組み合わせて使用してもよい。
【００８２】
接着層８は必ずしも必要な層ではないが、本発明の加飾シートを、後述する真空圧着法など、予め用意された樹脂成形体上へ貼着による加飾方法に適用することを想定した場合は、設けられていることが好ましい。真空圧着法に用いる場合、上記した各種の樹脂のうち、加圧又は加熱により接着性を発現する樹脂として慣用のものを使用して接着層８を形成することが好ましい。
【００８３】
接着層８の厚みは、特に制限されないが、例えば、０．１〜３０μｍ程度、好ましくは０．５〜２０μｍ程度、さらに好ましくは１〜８μｍ程度が挙げられる。
【００８４】
加飾シートの製造方法
本発明の加飾シートは、例えば次の工程を備える方法により製造することができる。
転写シート作製工程：転写用基材の上に、アクリル樹脂を８０質量％以上含むバインダー樹脂及び顔料を含む絵柄層を部分的に積層する工程と、アクリル樹脂を８０質量％以上含むバインダー樹脂を含むベタ層を積層する工程とを行い、転写シートを作製する。
転写工程：転写シートに積層された前記絵柄層及びベタ層を基材上に転写する。
【００８５】
（転写シート作製工程）
図４に示されるように、本発明の加飾シートの製造方法においては、まず、転写シート作製工程を行う。転写シート作製工程においては、転写用基材７の上に、絵柄層２を部分的に積層する工程と、ベタ層３を積層する工程とを行う。また、転写シート作製工程においては、必要に応じて、樹脂層４を積層する工程を行う。絵柄層２、ベタ層３、及び樹脂層４の積層は、上述の通り、印刷などにより行うことができる。転写シート作製工程においては、所望の加飾シートの積層構造となるようにして、転写用基材７の上に絵柄層２、ベタ層３、必要に応じて樹脂層４を積層する。また、プライマー層６を備える加飾シートを製造する場合、転写シート作製工程において、絵柄層２などの形成に先立って転写用基材７の上にプライマー層６を形成してもよく、後述の転写工程後、表面保護層形成工程においてプライマー層６を形成してもよい。
【００８６】
［転写用基材７］
本発明において、転写用基材７は、絵柄層２、ベタ層３、必要に応じて設けられる樹脂層４やプライマー層６を基材層１の上に積層するために用いられる。本発明で用いられる転写用基材７は、代表的には熱可塑性樹脂からなる樹脂シートが使用される。該熱可塑性樹脂としては、ポリエステル樹脂；アクリル樹脂；ポリプロピレン、ポリエチレン等のポリオレフィン樹脂；ポリカーボネート樹脂；アクリロニトリル−ブタジエン−スチレン樹脂（ＡＢＳ樹脂）；塩化ビニル樹脂等が挙げられる。
【００８７】
転写用基材７としては、絵柄層２、ベタ層３、必要に応じて設けられる樹脂層４の剥離性などの観点から、これらの中でもポリエステルシートを用いることがこのましい。ポリエステルシートを構成するポリエステル樹脂とは、多価カルボン酸と、多価アルコールとから重縮合によって得られるエステル基を含むポリマーを示し、ポリエチレンテレフタレート（ＰＥＴ）、ポリブチレンテレフタレート（ＰＢＴ）、ポリエチレンナフタレート（ＰＥＮ）などを好ましく挙げることができ、ポリエチレンテレフタレート（ＰＥＴ）が特に好ましい。
【００８８】
転写用基材７の厚みは、通常１０〜１５０μｍであり、１０〜１２５μｍが好ましく、１０〜８０μｍがより好ましい。また、転写用基材７としては、これら樹脂の単層シート、あるいは同種又は異種樹脂による複層シートを用いることができる。
【００８９】
［離型層］
離型層は、転写用基材７と絵柄層２、ベタ層３、必要に応じて設けられる樹脂層４やプライマー層６との剥離性を高めることなどを目的として、必要に応じて、転写用基材７の絵柄層２、ベタ層３、必要に応じて設けられる樹脂層４やプライマー層６が積層される側の表面に設けられる。離型層は、全面を被覆（全面ベタ状）しているベタ離型層であってもよいし、一部に設けられるものであってもよい。通常は、剥離性を考慮して、ベタ離型層が好ましい。
【００９０】
離型層は、シリコーン系樹脂、フッ素系樹脂、アクリル系樹脂（例えば、アクリル−メラミン系樹脂が含まれる。）、ポリエステル系樹脂、ポリオレフィン系樹脂、ポリスチレン系樹脂、ポリウレタン系樹脂、セルロース系樹脂、塩化ビニル−酢酸ビニル系共重合体樹脂、硝化綿などの熱可塑性樹脂、該熱可塑性樹脂を形成するモノマーの共重合体、あるいはこれらの樹脂を（メタ）アクリル酸やウレタンで変性したものを、単独で又は複数を混合した樹脂組成物を用いて形成することができる。なかでも、アクリル系樹脂、ポリエ
ステル系樹脂、ポリオレフィン系樹脂、ポリスチレン系樹脂、これらの樹脂を形成するモノマーの共重合体、及びこれらをウレタン変性したものが好ましく、より具体的には、アクリル−メラミン系樹脂単独、アクリル−メラミン系樹脂含有組成物、ポリエステル系樹脂とエチレン及びアクリル酸の共重合体をウレタン変性したものとを混合した樹脂組成物、アクリル系樹脂とスチレン及びアクリルとの共重合体のエマルションとを混合した樹脂組成物などが挙げられる。これらの内、アクリル−メラミン系樹脂単独又はアクリル−メラミン系樹脂を５０質量％以上含有組成物で離型層を構成することが特に好ましい。
【００９１】
離型層の厚みは、通常、０．０１〜５μｍ程度であり、好ましくは、０．０５〜３μｍ程度である。
【００９２】
（転写工程）
次に、図３に示されるように、転写工程を行う。転写工程においては、転写シートに積層された絵柄層２、ベタ層３、必要に応じて設けられる樹脂層４やプライマー層６を基材上に転写する。すなわち、転写シートの転写用基材７とは反対側を、基材層１の表面上に積層する。このとき、基材層１の表面を溶融させて、転写シートの転写用基材７とは反対側を基材層１の表面上に積層することにより、転写シートを基材層１の上に熱融着させることができる。次に、得られた積層体の表面に位置する転写用基材７を剥離することにより、基材層１の上に絵柄層２、ベタ層３、必要に応じて設けられる樹脂層４やプライマー層６が転写された加飾シートが得られる。
【００９３】
（表面保護層形成工程）
本発明の加飾シートに表面保護層５を設ける場合、上記の転写工程の後、表面保護層５を積層する表面保護層形成工程を行ってもよい。表面保護層５の積層は、上記のようにして行うことができる。また、表面保護層５とその下に位置する層との密着性を高めることなどを目的として、表面保護層５を積層する前に、必要に応じて、プライマー層６を積層してもよい。表面保護層５は、プライマー層６と同様、絵柄層２、ベタ層３などを形成する前に転写用基材１に設けてもよい。
【００９４】
２．加飾樹脂成形品
本発明の加飾樹脂成形品は、本発明の加飾シートに成形樹脂を一体化させることにより成形されてなるものである。即ち、本発明の加飾樹脂成形品は、少なくとも、成形樹脂層の上に、絵柄層と、ベタ層とが積層された積層体からなり、当該積層体において、絵柄層が部分的に積層されており、絵柄層に含まれるバインダー樹脂が、アクリル系樹脂を８０質量％以上含み、ベタ層に含まれるバインダー樹脂が、アクリル系樹脂を８０質量％以上含むことを特徴とする。本発明の加飾樹脂成形品では、必要に応じて、加飾シートに上述の基材層１、樹脂層４、表面保護層５、プライマー層６、接着層８などの少なくとも１層がさらに設けられていてもよい。
【００９５】
本発明の加飾樹脂成形品は、例えば、本発明の加飾シートを用いて、インサート成形法、射出成形同時加飾法、ブロー成形法、ガスインジェクション成形法等の各種射出成形法により作製される。これらの射出成形法の中でも、好ましくはインサート成形法及び射出成形同時加飾法が挙げられる。また、本発明の加飾樹脂成形品は、真空圧着法等の、予め用意された立体的な樹脂成形体（成形樹脂層）上に、本発明の加飾シートを貼着する加飾方法によっても作製することができる。
【００９６】
インサート成形法では、まず、真空成形工程において、本発明の加飾シートを真空成形型により予め成形品表面形状に真空成形（オフライン予備成形）し、次いで必要に応じて余分な部分をトリミングして成形シートを得る。この成形シートを射出成形型に挿入し、射出成形型を型締めし、流動状態の樹脂を型内に射出し、固化させて、射出成形と同時に
樹脂成形物の外表面に加飾シートを一体化させることにより、加飾樹脂成形品が製造される。
【００９７】
より具体的には、下記の工程を含むインサート成形法によって、本発明の加飾樹脂成形品が製造される。
本発明の加飾シートを真空成形型により予め立体形状に成形する真空成形工程、
真空成形された加飾シートの余分な部分をトリミングして成形シートを得るトリミング工程、及び
成形シートを射出成形型に挿入し、射出成形型を閉じ、流動状態の樹脂を射出成形型内に射出して樹脂と成形シートを一体化する一体化工程。
【００９８】
インサート成形法における真空成形工程では、加飾シートを加熱して成形してもよい。この時の加熱温度は、特に限定されず、加飾シートを構成する樹脂の種類や、加飾シートの厚みなどによって適宜選択すればよいが、通常１２０〜２００℃程度とすることができる。また、一体化工程において、流動状態の樹脂の温度は、特に限定されないが、通常１８０〜３２０℃程度とすることができる。
【００９９】
また、射出成形同時加飾法では、本発明の加飾シートを射出成形の吸引孔が設けられた真空成形型との兼用雌型に配置し、この雌型で予備成形（インライン予備成形）を行った後、射出成形型を型締めして、流動状態の樹脂を型内に射出充填し、固化させて、射出成形と同時に樹脂成形物の外表面に本発明の加飾シートを一体化させることにより、加飾樹脂成形品が製造される。
【０１００】
より具体的には、下記の工程を含む射出成形同時加飾法によって、本発明の加飾樹脂成形品が製造される。
本発明の加飾シートを、所定形状の成形面を有する可動金型の当該成形面に対し、加飾シートの表面が対面するように設置した後、当該加飾シートを加熱、軟化させると共に、可動金型側から真空吸引して、軟化した加飾シートを当該可動金型の成形面に沿って密着させることにより、加飾シートを予備成形する予備成形工程、
成形面に沿って密着された加飾シートを有する可動金型と固定金型とを型締めした後、両金型で形成されるキャビティ内に、流動状態の樹脂を射出、充填して固化させることにより樹脂成形体を形成し、樹脂成形体と加飾シートを積層一体化させる一体化工程、及び
可動金型を固定金型から離間させて、加飾シート全層が積層されてなる樹脂成形体を取り出す取出工程。
【０１０１】
射出成形同時加飾法の予備成形工程において、加飾シートの加熱温度は、特に限定されず、加飾シートを構成する樹脂の種類や、加飾シートの厚みなどによって適宜選択すればよいが、通常７０〜１３０℃程度とすることができる。また、射出成形工程において、流動状態の樹脂の温度は、特に限定されないが、通常１８０〜３２０℃程度とすることができる。
【０１０２】
真空圧着法では、まず、上側に位置する第１真空室及び下側に位置する第２真空室からなる真空圧着機内に、本発明の加飾シート及び樹脂成形体を、加飾シートが第１真空室側、樹脂成形体が第２真空室側となるように真空圧着機内に設置し、２つの真空室を真空状態とする。樹脂成形体は、第２真空室側に備えられた、上下に昇降可能な昇降台上に設置される。次いで、第１の真空室を加圧すると共に、昇降台を用いて成形体を加飾シートに押し当て、２つの真空室間の圧力差を利用して、加飾シートを延伸しながら樹脂成形体の表面に貼着する。最後に２つの真空室を大気圧に開放し、必要に応じて加飾シートの余分な部分をトリミングすることにより、本発明の加飾樹脂成形品を得ることができる。
【０１０３】
真空圧着法においては、上記の成形体を加飾シートに押し当てる工程の前に、加飾シートを軟化させて成形性を高めるため、加飾シートを加熱する工程を備えることが好ましい。当該工程を備える真空圧着法は、特に真空加熱圧着法と呼ばれることがある。当該工程における加熱温度は、加飾シートを構成する樹脂の種類や、加飾シートの厚みなどによって適宜選択すればよいが、通常６０〜２００℃程度とすることができる。
【０１０４】
本発明の加飾樹脂成形品において、成形樹脂層は、用途に応じた樹脂を選択して形成すればよい。成形樹脂層を形成する成形樹脂としては、熱可塑性樹脂であってもよく、また熱硬化性樹脂であってもよい。
【０１０５】
熱可塑性樹脂としては、例えば、ポリエチレン、ポリプロピレン等のポリオレフィン系樹脂、ＡＢＳ樹脂、スチレン樹脂、ポリカーボネート樹脂、アクリル樹脂、塩化ビニル系樹脂等が挙げられる。これらの熱可塑性樹脂は、１種単独で使用してもよく、また２種以上を組み合わせて使用してもよい。
【０１０６】
また、熱硬化性樹脂としては、例えば、ウレタン樹脂、エポキシ樹脂等が挙げられる。これらの熱硬化性樹脂は、１種単独で使用してもよく、また２種以上を組み合わせて使用してもよい。
【０１０７】
上述の通り、本発明の加飾樹脂成形品は、高い平滑性を有するため、例えば、自動車等の車両の内装材又は外装材；窓枠、扉枠等の建具；壁、床、天井等の建築物の内装材；テレビ受像機、空調機等の家電製品の筐体；容器等として利用することができる。
【実施例】
【０１０８】
以下に、実施例及び比較例を示して本発明を詳細に説明する。ただし、本発明は、実施例に限定されない。
【０１０９】
（加飾シートの作製）
＜実施例１＞
下記の手順により、加飾シートを作製した。
１．転写シート作製工程
転写用基材としてのポリエチレンテレフタレート（ＰＥＴ）フィルム（厚み２５μｍ）の表面上に、アクリルウレタン樹脂からなるプライマー層を形成した。プライマー層の厚みは約１μｍとした。次に、塩化ビニル−酢酸ビニル共重合体５０質量％及びアクリル樹脂５０質量％の混合樹脂をバインダー樹脂としたインキ組成物を４回部分的に印刷して、樹脂層を４層形成した。各樹脂層の厚みは約１．０μｍとした。次に、アクリル樹脂からなるバインダー樹脂とパール顔料を含むインキ組成物を厚み約２．０μｍとなるように部分的に印刷して、絵柄層を形成した。次に、アクリル樹脂からなるバインダー樹脂とパール顔料を含むインキ組成物を厚み約１．５μｍとなるように全面に印刷して、ベタ層を形成した。ベタ層の表面に、塩化ビニル−酢酸ビニル共重合体５０質量％及びアクリル樹脂５０質量％の混合樹脂からなるバインダー樹脂を用いたインキ組成物を２回全面に印刷して、樹脂層を２層形成した。このとき、各樹脂層の厚みは約１．５μｍとした。以上のようにして、転写用基材／部分的に形成された樹脂層（４層）／部分的に形成された絵柄層／全面に形成されたベタ層／全面に形成された樹脂層（２層）が順に積層された転写シートを作製した。
【０１１０】
２．転写工程
基材層としてのＡＢＳフィルム（厚み４００μｍ）の一方側の面を約１７０℃に加熱して溶融させた。この溶融面に対して、上記で得られた転写シートを転写用基材とは反対側から積層して熱融着させ、その後、室温（２５℃）まで冷却した。次に、得られた積層体から転写用基材を剥離して、基材の上に絵柄層、ベタ層、及び樹脂層を転写した。
【０１１１】
３．表面保護層形成工程
転写工程で得られた積層体の表面に位置する樹脂層の表面に、２官能ポリカーボネートアクリレート（重量平均分子量１０，０００）８０質量部及び６官能ウレタンアクリレート（重量平均分子量６，０００）２０質量部を含む電子線硬化性樹脂を、硬化後の厚みが１０μｍとなるようにバーコートにより塗工し、未硬化の電子線硬化性樹脂からなる表面保護層を形成した。次に、未硬化の表面保護層に対して、加速電圧１９５ｋＶ、照射線量５０ｋＧｙ（５Ｍｒａｄ）の電子線を照射して、電子線硬化性樹脂を硬化させて、表面保護層を形成した。以上の手順により加飾シートを得た。
【０１１２】
＜実施例２＞
上記の転写シート作製工程において、ベタ層を形成した後、絵柄層を形成したこと以外は、実施例１と同様にして、加飾シートを得た。
【０１１３】
＜実施例３＞
ベタ層を形成するインキ組成物にパール顔料を配合しなかったこと以外は、実施例２と同様にして、加飾シートを得た。
【０１１４】
＜比較例１＞
ベタ層を形成しなかったこと以外は、実施例１と同様にして、加飾シートを得た。
【０１１５】
（加飾樹脂成形品の作製）
上記で得られた各加飾シートを、それぞれを真空成形機（布施真空社製「ＶＰＦ−Ｔ１」）に配し、ヒーターにて表面温度が１７０℃になるまで加熱し、真空成形を行った。真空成形品を取り出し、トリミングした後、射出成形を行った。成形用樹脂としては、ポリカーボネートとＡＢＳ樹脂の混合物（商品名：サイコロイIP1000BK  GEプラスチック製）を用いた。
【０１１６】
（平滑性の評価）
実施例１〜３及び比較例１の加飾シートから得られた上記の加飾樹脂成形品の表面に斜光を照射して、表面を目視で観察した際の平滑性を以下の基準により評価した。結果を表１に示す。
◎：絵柄層によって形成された絵柄に同調した凹凸形状が全く観察されず、鏡面性が高い。
○：絵柄層によって形成された絵柄に同調した凹凸形状が観察されない。
△：絵柄層によって形成された絵柄に同調した凹凸形状が若干観察されるが、観察する角度を変えると観察されなくなる。
×：絵柄層によって形成された絵柄に同調した凹凸形状が、いずれの角度からも観察される。
【０１１７】
【表１】
2020073350.tif 000002
【符号の説明】
【０１１８】
１…基材層
２…絵柄層
３…ベタ層
４…樹脂層
４１…樹脂層
４２…樹脂層
５…表面保護層
６…プライマー層
７…転写用基材
８…接着層
９…成形樹脂層
【図１】
2020073350.tif 000003
【図２】
2020073350.tif 000004
【図３】
2020073350.tif 000005
【図４】
2020073350.tif 000006
【図５】
2020073350.tif 000007